(57)【特許請求の範囲】
【請求項１】
複数の情報源からテキストやイメージなどの記事の配信を受け、それら配信された記事の中から、ユーザ毎に予め指定されたテーマに関する記事を選出してユーザに提示する情報フィルタリング装置において、
複数のテーマの各々について当該テーマの検索式を用いて記事を検索することにより、テーマ毎にそのテーマの検索式に類似する記事をサンプル記事として対応付ける手段と、
前記複数のテーマを含むテーマ選定画面を各ユーザに提示する手段と、
前記テーマ選定画面上のテーマ毎に、当該テーマに対応付けられたサンプル記事をユーザに提示する手段と、
前記テーマ選定画面上で選択されたテーマに従って、前記記事を選出するための検索条件を生成する手段と、
前記情報源から配信された記事を検索し、前記検索条件に合致する記事を選定してユーザに提示する手段とを具備することを特徴とする情報フィルタリング装置。
【請求項２】
前記テーマ選定画面上のテーマ毎に、当該テーマを選択しているユーザの数を示すユーザ数情報を提示する手段をさらに具備することを特徴とする請求項１記載の情報フィルタリング装置。
【請求項３】
複数の情報源からテキストやイメージなどの記事の配信を受け、それら配信された記事の中から、ユーザ毎に予め指定されたテーマに関する記事を選出してユーザに提示する情報フィルタリング装置において、
複数のテーマを含むテーマ選定画面を各ユーザに提示する手段と、
前記テーマ選定画面上で選択されたテーマに従って、前記記事を選出するための検索条件を生成する手段と、
前記情報源から配信された記事を検索し、前記検索条件に合致する記事を選定してユーザに提示する記事検索手段と、
テーマ選定のために参照されたテーマ選定画面のバージョン番号をユーザ毎に管理する手段と、
前記情報フィルタリングシステムが提供する最新のテーマ選定画面と各ユーザのテーマ選定画面のバージョンとを比較し、その差分が提示されるように前記テーマ選定画面をユーザ毎に生成する手段とを具備することを特徴とする情報フィルタリング装置。
【発明の詳細な説明】
【０００１】
【発明の属する技術分野】
この発明は、膨大なテキスト記事からユーザの要求・興味にあったものを選出して定期的にユーザに提供する情報フィルタリング装置に関する。
【０００２】
【従来の技術】
近年、ワードプロセッサーや電子計算機の普及、および計算機ネットワークを介した電子メールや電子ニュースの普及などに伴い、文書の電子化は加速的に進みつつある。
【０００３】
電子出版という言葉が示すように、今後は新聞、雑誌、本の情報も電子的に提供されることが一般的になると考えられる。これにより、個人にとってリアルタイムで入手可能となるテキスト情報の量は膨大になっていくと予測される。
【０００４】
これに伴い、新聞や雑誌などの膨大なテキスト記事からユーザの要求・興味にあったものを選出して定期的にユーザに提供する情報フィルタリングシステムあるいは情報フィルタリングサービスの需要が高まりつつある。
【０００５】
従来より実現されている情報フィルタリングシステムは、ユーザの要求や興味を表現したユーザプロファイルに合致する記事を検索し、これらの見出しのリストあるいは記事全体をならべてユーザに提示するものである。通常、ユーザプロファイルは、ユーザが興味をもっているテーマ（トピック）をいくつか指定することにより作成される。
【０００６】
このテーマ選定をどのように行うかによってユーザに提示されるテキスト記事の内容が変わるので、情報フィルタリングシステムにおいてはテーマ選定の処理は非常に重要である。このため、テーマ選定をどのように効率よく行うかが種々検討されている。
【０００７】
このようなテーマ選定については、ＳＤＩ（Ｓｅｌｅｃｔｉｖｅ  Ｄｉｓｓｅｍｉｎａｔｉｏｎ  ｏｆ  Ｉｎｆｏｒｍａｔｉｏｎ）と称される情報検索サービスでも行われている。これは図書館やデータベース検索サービスなどで使用されるものであり、ユーザがサーチャに対して探したい文献や記事の説明を行い、サーチャがそれに基づいて検索命令を作成するという運用がなされている。
【０００８】
また、スタンダードＳＤＩの名前で知られる方法では、ユーザがあらかじめ用意された冊子体のテーマ一覧表を見てその中から適切と思うテーマを選択することができる。テーマ一覧表には、例えば文献（日本科学技術情報センター編「平成６年度スタンダードＳＤＩテーマ一覧」）がある。
【０００９】
【発明が解決しようとする課題】
しかしながら、このような冊子体に書かれたテーマ一覧表に書かれている情報だけではそのテーマの内容や、テーマの追加や変更などがユーザにとってわかりにくいという問題がある。特に、サーチャを介さずにユーザ自身がテーマを選定する情報フィルタリングシステムでは、テーマ選定のための十分な情報をユーザに提供することが要求されている。このため、情報フィルタリングシステムにおいては、冊子体に書かれたテーマ一覧表ではテーマ選定を効率良く行う事はできない。
【００１０】
この発明は上述の事情に鑑みてなされたものであり、ユーザが情報フィルタリングのためのテーマを選択するときに、容易にテーマの内容を理解でき、またテーマ名の追加や変更をユーザに分りやすく提示できるようにすることを目的とする。
【００１１】
【課題を解決するための手段】
この発明は、複数の情報源からテキストやイメージなどの記事の配信を受け、それら配信された記事の中から、ユーザ毎に予め指定されたテーマに関する記事を選出してユーザに提示する情報フィルタリング装置において、複数のテーマの各々について当該テーマの検索式を用いて記事を検索することにより、テーマ毎にそのテーマの検索式に類似する記事をサンプル記事として対応付ける手段と、前記複数のテーマを含むテーマ選定画面を各ユーザに提示する手段と、前記テーマ選定画面上のテーマ毎に、当該テーマに対応付けられたサンプル記事をユーザに提示する手段と、前記テーマ選定画面上で選択されたテーマに従って、前記記事を選出するための検索条件を生成する手段と、前記情報源から配信された記事を検索し、前記検索条件に合致する記事を選定してユーザに提示する手段とを具備することを特徴とする。
【００１２】
この情報フィルタリングシステムによれば、テーマ選定画面上にそのシステムが提供するテーマが一覧表示され、また例えばユーザによってテーマ選定画面上のテーマの説明が要求されると、そのテーマに対応する記事がテーマ選定画面上にサンプル表示される。これにより、ユーザが情報フィルタリングのためのテーマを選択するときに、ユーザが容易にテーマの内容を理解でき、また、テーマ選択に役立つ情報が得られるようになる。
【００１３】
また、前記テーマ選定画面上のテーマ毎に、当該テーマを選択しているユーザの数を示すユーザ数情報を提示する手段をさらに設けることが好ましい。
【００１４】
また、この発明の情報フィルタリング装置は、テーマ選定のために参照されたテーマ選定画面のバージョン番号をユーザ毎に管理する手段と、前記情報フィルタリングシステムが提供する最新のテーマ選定画面と各ユーザのテーマ選定画面のバージョンとを比較し、その差分が提示されるように前記テーマ選定画面をユーザ毎に生成する手段とを備えたことを特徴とする。
【００１５】
この構成によれば、この情報フィルタリング装置が提供するテーマ名の追加や変更などが発生した時、それまでにユーザが参照していたテーマ選定画面と最新のテーマ選択画面との差分が分るようにテーマ選択画面が新たに生成され、それがユーザに提示される。したがって、テーマ名の追加や変更などの情報をユーザにとって分りやすく提示できるようになり、テーマ選択の効率向上を図る事ができる。
【００１６】
【発明の実施の形態】
（実施形態１）
以下、図面を参照してこの発明の第１の実施形態について説明する。
まず、図１を参照して、実施形態１に係る情報フィルタリングシステム全体の構成について説明する。
【００１７】
情報フィルタリングシステムは、新聞社、通信社、または出版社などの複数の情報源２からテキスト記事の配信を受け、それを定期的に加入ユーザ端末３それぞれに送信する情報提供システムであり、このシステムの情報提供サービスは情報フィルタリングセンタ１によって実現されている。
【００１８】
情報フィルタリングセンタ１は、通信網を介して複数の情報源２および複数の加入ユーザ端末３に接続された１つの計算機システムによって実現されており、ここには、情報フィルタリングのための制御や処理を行う中央処理装置４、プログラム並びにデータを格納する半導体メモリ、磁気ディスク、光ディスクなどの記憶装置５、回線や電波などの通信網を介して情報源２からテキスト記事を受信する受信部６、回線や電波などの通信網を介してユーザ端末３にテキスト記事を送信する送信部７などから構成されている。
【００１９】
各ユーザ端末３は、例えばパーソナルコンピュータやワークステーションなどの情報処理端末であり、情報フィルタリングセンタ１から送信されたテキスト記事を受信するテキスト情報受信部８と、受信したテキスト記事を画面表示する表示部９などを備えている。
【００２０】
情報フィルタリングセンタ１は、図２に示されているように、ユーザプロファイル１０と称する一種の検索条件をユーザ毎に保持しており、そのユーザプロファイル１０に従って該当するユーザに提供すベき記事を検索する。ユーザプロファイル１０は、ユーザによって指定された複数のテーマ（トピック）などを基に構成されており、それらテーマに合致する記事が検索および選出されてユーザに送られる。
【００２１】
図３には、この発明の実施形態１に係わる情報フィルタリングセンタ１の具体的な構成が示されている。図中、実線の矢印は制御の流れを示し、破線の矢印はデータの流れを示す。
【００２２】
情報フィルタリングセンタ１は、図示のように、テーマ選択部１１、ユーザテーマ記憶部１２、受信部１３、記事格納部１４、テーマＩＤ格納部１５、検索式格納部１６、記事検索部１７、送信部１８、テーマ管理部１９、および制御部２０などから構成されている。これら構成要素のうち、一点鎖線で囲まれているテーマ選択部１１、記事検索部１７、テーマ管理部１９、制御部２０は、例えば図１の中央処理装置１４によって実行されるソフトウェアによって実現できる。
【００２３】
テーマ選択部１１は、ユーザによるテーマ選定を制御するためのものであり、テーマＩＤ格納部１５に格納された情報を基にユーザに提示するテーマ選定画面やサンプル記事の生成を行うと共に、ユーザによって選定されたテーマをユーザテーマ記憶部１２に格納する。
【００２４】
ユーザテーマ記憶部１２は、ユーザによって選択されたテーマをユーザ毎に格納する。受信部１３は、ユーザが選択したテーマや情報源２から送られてくるテキスト記事などを受信する。記事格納部１４は、受信部１３によって受信された情報源２からのテキスト記事を記憶する。
【００２５】
テーマＩＤ格納部１５は、テーマの名称とＩＤ、およびテーマの説明のための情報を記憶している。検索式格納部１６は、各ユーザが選択したテーマに従って生成された検索式を格納している。記事検索部１７は、検索式格納部１６の該当する検索式を用いて、受信したテキスト記事からテーマに関連する記事を検索する。この記事検索部１７の検索処理では、検索式で指定される検索条件と到着記事との間の類似度が調べられ、類似度の高い順に記事がソートされる。そして、例えば類似度の値があるしきい値を越えた記事すべて、または類似度の高い上位のいくつかの記事がユーザに提示する記事として選択される。
【００２６】
送信部１８は、テーマ名やそれに関する情報を含むテーマ選定画面、および検索結果により選定されたテキスト記事などをユーザに送信する。テーマ管理部１９は、ユーザテーマ記憶部１２のテーマに従って検索条件を示す検索式をユーザ毎に生成して検索式格納部１６に格納すると共に、記事検索部１７に該当する検索式を与えるなどの処理を行う。制御部２０は、このセンタ１内部の全てのユニットの動作を制御するものであり、計時装置を保持することにより、毎日一定の時間にテーマ管理部１９を起動する。
【００２７】
図４には、テーマ管理部１９の処理の流れが示されている。
テーマ管理部１９は、ユーザテーマ記憶部１２に格納されているテーマについて以下の処理を行う。まず、ユーザテーマ記憶部１２から１つのテーマを取り出し（ステップＳ１０２）、その取り出したテーマの検索式を、検索式格納部１６から取り出す（ステップＳ１０３）。そして、取り出した検索式を記事検索部１７に送り、検索結果を受け取る（ステップＡ１０４）。
【００２８】
検索式および検索方法としては、例えば文献（「ＳＭＡＲＴ情報検索システム」、ジェラルド・サルトン編、神保健二監訳、企画センター）などの公知の技術を利用することにより、検索式に対する類似度の大きい順に記事を並べて出力することが可能である。
【００２９】
この後、テーマ管理部１９は、受け取った検索結果から最も類似度の高い記事を選定して、テーマＩＤ格納部１５に格納する（ステップＳ１０５）。これらステップＳ１０２〜Ｓ１０５の処理は全てのユーザに関するテーマについての処理が行われるまで繰り返し実行される（ステップＳ１０１）。
【００３０】
図５には、テーマＩＤ格納部１５のデータ格納形式と実際に格納されるデータの例が示されている。
図示のように、テーマＩＤ格納部１５には、センタ１が管理する全てのテーマについてそのテーマ毎にテーマＩＤ（例えば、“００１”、“００２”、“００３”…）、テーマの名称（パソコン、ワークステーション、スーパーコンピュータ…）を保持すると共に、それら各テーマに対応して選出されたサンプル記事の見出し（○○がＣＤ−ＲＯＭパソコン販売、××が低価格ワークステーション発売、世界最高速コンピュータを開発）、およびその記事の本文の格納位置を示す記事格納部１４に対するポインタ（３２１６５４、４５０１２０、６７３４５３）が格納されるエリアを持つ。
【００３１】
テーマ管理部１９は、選出した実際の記事本文を格納するのでは無く、記事の見出しと、その記事の本文へのポインタをテーマＩＤ格納部１５に格納する。
図６には、制御部２０の処理の流れが示されている。
【００３２】
制御部２０は、ユーザ端末３から送信されたコマンドや、センタ１の管理者からのコマンドが入力されたとき、そのコマンドに対応する処理を行う。
すなわち、制御部２０は、ユーザ端末３、あるいはセンタ１の管理者から送信されてくるコマンドを待つ（ステップＳ２０１）。送られてきたコマンドがテーマ選択のためのコマンドである場合、制御部２０はテーマ選択部１１に制御を渡してテーマ選定画面の表示処理などを実行させ、そのテーマ選択部１１から制御が戻るのを待つ（ステップＳ２０３）。
【００３３】
また、制御部２０は、終了のコマンドを受け取った場合には処理を終了し、またそれら以外のコマンドである場合にはそのコマンドに対応する他の処理を行う（ステップＳ２０４，Ｓ２０５）。
【００３４】
図７には、テーマ選択部１１の処理の流れが示されている。
テーマ選択部１１は、テーマＩＤ格納部１５を参照し、テーマＩＤ格納部１５に格納されているテーマの名称を取り出してテーマ一覧表を生成し、それをテーマ選定画面としてユーザ端末に表示する（ステップＳ３０１）。テーマ選定画面の一例を図８に示す。テーマ選定画面には、図示のように、複数のテーマ名と、各テーマに従属するサブテーマ名とが表示され、また「テーマの説明」、「テーマの選択」、「終了」を指示するためのボタンが表示される。
【００３５】
ユーザは、表示されたテーマ選定画面上でマウスなどを用いて興味のあるテーマをいくつか選択する。テーマ選択が行われる度に、テーマ選択部１１は、選択されたテーマのＩＤを図示しないバッファに格納する（ステップＳ３０２、Ｓ３０３）。
【００３６】
また、ユーザがテーマ選定画面の下部に表示されている「テーマの説明」を選択した場合には、テーマ選択部１１は、バッファに格納されているテーマについて、テーマＩＤ格納部１５から記事見出しと記事本文を取り出し、それをサンプル記事としてテーマ選定画面上にウインドウ表示する（ステップＳ３０４，Ｓ３０５）。
【００３７】
例えば、図９に示されているように、ユーザが「パソコン」、「ワークステーション」、および「スーパーコンピュータ」のテーマを選択した後に、「テーマの説明」を選択した場合には、図１０に示すように、それぞれの記事見出しと記事本文がユーザ端末に画面表示される。
【００３８】
また、ユーザが「テーマの選択」を選択した場合には、テーマ選択部１１は、バッファに格納されているテーマをユーザテーマ記憶部１２に追加し格納する（ステップＳ３０６，Ｓ３０７）。また、ユーザによって「終了」が選択されると（ステップＳ３０８）、テーマ選択部１１の処理は終了される。
【００３９】
図１１には、ユーザテーマ記憶部１２のデータ格納形式と実際に格納されるデータの一例が示されている。
ユーザテーマ記憶部１２には、ユーザを識別するためのＩＤ（３５６，３５７，…）とユーザ名（山田花子，○山一郎，…）とがユーサ毎に予め登録されている。
【００４０】
「テーマの選択」が選択された場合には、ユーザテーマ記憶部１２には、図１２に示されているように、ユーザＩＤ、ユーザ名の後にテーマＩＤが登録される。
【００４１】
ユーザテーマ記憶部１２に格納されたテーマは、毎日、受信された記事を対象に検索するための検索条件として使用され、得られた結果を、そのテーマを選択したユーザに送信するために用いられる。
【００４２】
このように、実施形態１のシステムでは、テーマ選定画面上にそのシステムが提供するテーマが一覧表示され、またユーザによって「テーマの説明」が要求されると、そのテーマに対応するテキスト記事がテーマ選定画面上にサンプル表示される。これにより、ユーザが情報フィルタリングのためのテーマを選択するときに、ユーザが容易にテーマの内容を理解でき、また、テーマ選択に役立つ情報が得られるようになる。
【００４３】
また、テキスト記事のサンプル表示の代わり、あるいはサンプル表示に加えて、テーマ選定画面の各テーマについてそのテーマの記事を選択しているユーザが何人いるかを示す購読ユーザ数情報を提示する事もできる。
【００４４】
この場合、テーマＩＤ格納部１５のデータ格納形式は図１３のようになる。すなわち、テーマ管理部１９は、テーマＩＤごとに、ユーザテーマ記憶部１２内のテーマＩＤ数をカウントし、それを購読ユーザ数情報として図１３に示されているように、テーマＩＤ格納部１５の該当するテーマＩＤおよびテーマ名の後に追加登録する。
【００４５】
ユーザによって「テーマの説明」が選択された場合には、テーマ選択部１１は、テーマＩＤ格納部１５を参照して、図１４のように購読ユーザ数情報をテーマ毎に表示する。
【００４６】
（実施形態２）
図１５には、この発明の第２の実施形態に係わる情報フィルタリングセンタ１の具体的な構成が示されている。
【００４７】
この情報フィルタリングセンタ１は、図１および図２に示した実施形態１のシステムと同一の環境下で動作するものであり、図３のセンタ１の構成に加え、テーマ編集部２１を備えている。
【００４８】
テーマ編集部２１は、検索のためのテーマを削除、追加、変更することによって情報フィルタリングセンタ１が提供するテーマ一覧表（テーマ選定画面）の改定を行うためのものであり、例えばテキスト・エディタなどによって実現されている。テーマ編集部２１による編集結果は、その改定の度にテーマ一覧表バージョン番号と共に、テーマＩＤ格納部１５に格納される。
【００４９】
図１６には、テーマＩＤ格納部１５のデータ格納形式と実際に格納されるデータの例が示されている。図示のように、テーマＩＤ格納部１５には、テーマ一覧表バージョン番号（３，４）と、テーマ一覧表を構成するテーマの並び（バージョン３については、ハードウェア、パソコン、ワークステーション、スーパーコンピュータ、ソフトウェア、オペレーティングシステム、ＡＡＡ、ＢＢＢ、アプリケーション・ソフト、ワープロ、機械翻訳、情報サービス、パソコン通信、ＣＡＴＶ、バージョン４については、ハードウェア、パソコン、ワークステーション、スーパーコンピュータ、ソフトウェア、オペレーティングシステム、ＡＡＡ、アプリケーション・ソフト、ワープロ、機械翻訳、全文検索、情報サービス、パソコン通信、ＣＡＴＶ）、テーマ一覧表の末尾であることを示す「＄ＥＮＤ」の記号が登録されている。
【００５０】
図１７には、ユーザテーマ記憶部１２のデータ格納形式と実際に格納されるデータ例が示されている。
ユーザテーマ記憶部１２には、利用者ごとにユーザＩＤ（３５６，３５７，…）、ユーザの名前（山田花子，○山一郎，…）、ユーザが最後に見たテーマ一覧表（テーマ選定画面）のバージョン番号（４，３，…）が格納されている。ユーザが最後に見たテーマ一覧表のバージョン番号は、テーマ選択部１１によって更新される。
【００５１】
図１８には、図７に示したテーマ選択部１１の処理の流れの中でステップＳ３０１で行われる処理が示されている。
すなわち、テーマ選択部１１は、まず、制御部２０から受け取ったユーザＩＤでユーザテーマ記憶部１２を検索し、そのユーザが最後に参照したテーマ一覧表バージョン番号ｎ１を取り出す（ステップＳ４０１）。次に、テーマ選択部１１は、テーマＩＤ格納部１５の中から、最も大きな値のバージョン番号（最新のバージョン番号）ｎ２を取り出す（ステップＳ４０２）。
【００５２】
そして、テーマ選択部１１は、それらバージョンｎ１とｎ２を比較し（ステップＳ４０３）、異なる場合には、テーマＩＤ格納部１５の中のバージョン番号ｎ１のテーマの並びと、バージョン番号ｎ２のテーマの並びを比較する（ステップＳ４０４）。
【００５３】
バージョン番号ｎ１のテーマの並びの中にあって、バージョン番号ｎ２の方にないテーマがある場合には、テーマ選択部１１は、そのテーマ名Ｔ１と、バージョン番号ｎ１のテーマの並びの中でテーマ名Ｔ１の直前にあるテーマ名Ｔ２を図示しない作業バッファＢ１に格納する（ステップＳ４０５）。また、バージョン番号ｎ１のテーマの並びの中になく、バージョン番号ｎ２の方にはあるテーマがある場合には、テーマ選択部１１は、そのテーマ名Ｔ３を図示しない作業バッファＢ２に格納する（ステップＳ４０６）。
【００５４】
次に、テーマ選択部１１は、バッファＢ１，Ｂ２の内容とバージョン番号ｎ２の最新のテーマ一覧表とを利用して新たな一覧表を生成し、それをユーザ端末に表示する。この処理は、具体的には次のように行われる。
【００５５】
まず、テーマ選択部１１は、バージョン番号ｎ２の最新のテーマ一覧表をユーザ端末に表示する（ステップＳ４０８）。さらに、バッファＢ１が空でない場合には（ステップＳ４０８）、バッファＢ１内に格納されているテーマ名Ｔ２の直下にテーマ名Ｔ１を表示し、このテーマが最新バージョンでは削除されたことを示すメッセージを表示する（ステップＳ４０９）。バッファＢ２が空でない場合には（ステップＳ４１０）、バッファＢ２内に格納されているテーマ名Ｔ３の行に、このテーマが新たに追加されている旨のメッセージを表示する（ステップＳ４１１）。このようにして生成された一覧表示画面の表示例を図１９に示す。
【００５６】
このように、実施形態２のシステムでは、情報フィルタリングシステムが提供するテーマ名の追加や変更などが発生した時、それまでにユーザが参照していたテーマ選定画面と最新のテーマ選択画面との差分が分るようにテーマ選択画面が新たに生成され、それがユーザに提示される。したがって、テーマ名の追加や変更などの情報をユーザにとって分りやすく提示できるようになり、テーマ選択の効率向上を図る事ができる。
【００５７】
【発明の効果】
以上説明したように、本発明によれば、情報フィルタリングのテーマに関して、利用者は、テーマを選択することによって得られる記事の例やテーマを選択しているユーザの数などの、テーマ選択の参考となる情報を得ることができる。また、利用者は、テーマの削除、追加、変更などに関する情報を得ることができる。よって、テーマ選択の操作性および効率向上を図る事ができる。
【図面の簡単な説明】
【図１】この発明の第１実施形態に係る情報フィルタリング装置のシステム全体の構成を示すブロック図。
【図２】同実施形態１のシステムの運用形態を概念的に示す図。
【図３】同実施形態１のシステムに設けられる情報フィルタリングセンタの構成を示すブロック図。
【図４】同実施形態１のシステムにおけるテーマ管理部の処理の流れを示すフローチャート。
【図５】同実施形態１のシステムにおけるテーマＩＤ格納部のデータ格納形式の一例を示す図。
【図６】同実施形態１のシステムにおける制御部の処理の流れを示すフローチャート。
【図７】同実施形態１のシステムにおけるテーマ選択部の処理の流れを示すフローチャート。
【図８】同実施形態１のシステムにおけるテーマ選定画面の一例を示す図。
【図９】図８のテーマ選定画面上でテーマが選択される様子を示す図。
【図１０】図８のテーマ選定画面上に表示されるサンプル記事の一例を示す図。
【図１１】同実施形態１のシステムにおけるユーザテーマ記憶部のデータ格納形式の一例を示す図。
【図１２】図１１のユーザテーマ記憶部にテーマＩＤを登録した様子を示す図。
【図１３】同実施形態１のシステムにおけるテーマＩＤ格納部のデータ格納形式の他の例を示す図。
【図１４】図１３のテーマＩＤ格納部に保持されている購読者数情報をテーマ選定画面上に表示した様子を示す図。
【図１５】この発明の第２実施形態に係る情報フィルタリング装置に設けられる情報フィルタリングセンタの構成を示すブロック図。
【図１６】同実施形態２のシステムにおけるユーザテーマ記憶部のデータ格納形式の一例を示す図。
【図１７】同実施形態２のシステムにおけるテーマＩＤ格納部のデータ格納形式の一例を示す図。
【図１８】同実施形態２のシステムにおけるテーマ選択部の処理の流れを示すフローチャート。
【図１９】同実施形態２のシステムにおけるテーマ選定画面の表示例を示す図。
【符号の説明】
１…情報フィルタリングセンタ、２…情報源、３…ユーザ端末、１０…ユーザプロファイル、１１…テーマ選択部、１２…ユーザテーマ記憶部、１３…受信部、１４…記事格納部、１５…テーマＩＤ格納部、１６…検索式格納部、１７…記事検索部、１８…送信部、１９…テーマ管理部、２０…制御部、２１…テーマ編集部。
【図１】
0003588507.tif 000002
【図２】
0003588507.tif 000003
【図３】
0003588507.tif 000004
【図４】
0003588507.tif 000005
【図５】
0003588507.tif 000006
【図６】
0003588507.tif 000007
【図７】
0003588507.tif 000008
【図８】
0003588507.tif 000009
【図９】
0003588507.tif 000010
【図１０】
0003588507.tif 000011
【図１１】
0003588507.tif 000012
【図１２】
0003588507.tif 000013
【図１３】
0003588507.tif 000014
【図１４】
0003588507.tif 000015
【図１５】
0003588507.tif 000016
【図１６】
0003588507.tif 000017
【図１７】
0003588507.tif 000018
【図１８】
0003588507.tif 000019
【図１９】
0003588507.tif 000020